(57)【要約】【課題】巻き芯に消臭剤や芳香剤を含浸させた従来のトイレットロールは、消臭機能が長続きせず、トイレットロールの使用終了時においては、その機能が極端に低下してしまう。【解決手段】接着剤１５を介して複数枚のシート１１，１２を相互に重ね合わせた本発明による衛生用紙１０は、接着剤１５が消臭剤を含み、これによって衛生用紙１０の使用開始時から使用終了に至るまで所望の消臭機能を継続的に発揮させることができる。また、この衛生用紙１０を構成する複数枚のシート１１，１２のうちの少なくとも一方にエンボス部１１ａ，１２ａを形成し、エンボス部１２ａの頂面に他方のシート１１を接合するための接着剤１５を塗布するようにしてもよい。【選択図】図２
2015186512.tif 000002
【特許請求の範囲】
【請求項１】
接着剤を介して複数枚のシートを相互に重ね合わせた衛生用紙であって、前記接着剤が消臭剤を含むことを特徴とする衛生用紙。
【請求項２】
前記消臭剤がマスキング型消臭剤および吸着型消臭剤および化学反応型消臭剤の少なくとも１つを含むことを特徴とする請求項１に記載の衛生用紙。
【請求項３】
前記接着剤がポリビニルアルコールおよびカルボキシメチルセルロースおよびメチルセルロースおよびアルギン酸ソーダーの少なくとも１つを含むことを特徴とする請求項１または請求項２に記載の衛生用紙。
【請求項４】
前記複数枚のシートのうちの相互に隣接する２枚のシートの少なくとも一方にエンボス加工が施され、このエンボス加工により当該一方のシートに形成されて他方の前記シート側に突出する凸部の頂面に前記他方のシートを接合するための接着剤が塗布されていることを特徴とする請求項１から請求項３の何れかに記載の衛生用紙。
【請求項５】
衛生用紙の裏面側に露出するシートにエンボス加工が施され、このエンボス加工による凸部がシートの全域に所定間隔で形成されていることを特徴とする請求項１から請求項４の何れかに記載の衛生用紙。
【請求項６】
前記シートが水解性を有することを特徴とする請求項１から請求項５の何れかに記載の衛生用紙。
【請求項７】
請求項４および請求項４に従属する請求項５および請求項６の何れかに記載の衛生用紙を製造するための方法であって、
複数枚のシートを接合するための接着剤にあらかじめ消臭剤を含ませておくステップと、
前記複数枚のシートのうちの相互に隣接する２枚のシートの少なくとも一方にエンボス加工を施すステップと、
このエンボス加工を施すステップにより前記一方のシートに形成されて他方の前記シート側に突出する凸部の頂面に消臭剤を含ませた接着剤を塗布するステップと、
接着剤が塗布された一方のシートに他方のシートを重ね合わせてこれらを接合するステップと
を具えたことを特徴とする衛生用紙の製造方法。
【発明の詳細な説明】
【技術分野】
【０００１】
本発明は、相互に重ね合わされる複数枚のシートを接着剤によって接合した衛生用紙およびその製造方法に関する。
【背景技術】
【０００２】
トイレットロールやキッチンペーパーなどの衛生用紙においては、水分の裏抜けを防止すると共に風合いの向上を目的として、複数枚、一般的には２枚の薄葉紙を重ね合わせて構成することが多い。この場合、２枚の薄葉紙の剥離を防止するため、重ね合わせた状態の２枚の薄葉紙に対して接合用のエンボス加工をその幅方向両側縁部に沿って連続して形成したり、あるいは糊を用いて２枚の薄葉紙を接合している。この糊を用いて２枚の薄葉紙を接合する技術は、例えば特許文献１などに記述されている。より具体的には、少なくとも一方の薄葉紙にエンボス加工を施し、このエンボス加工によって他方の薄葉紙との接合面側に突出する凸部の頂面に糊を塗布し、この糊を介して他方の薄葉紙を一方の薄葉紙に接合している。
【０００３】
一方、水解性のトイレットロールの巻き芯の部分に消臭剤を含浸させ、消臭機能を持たせたトイレットロールが特許文献２，３などで提案されている。
【先行技術文献】
【特許文献】
【０００４】
【特許文献１】特開２００９−１７８４５４号公報
【特許文献２】特開２００１−３２７４３０号公報
【特許文献３】特開２０１３−６０３０６号公報
【発明の概要】
【発明が解決しようとする課題】
【０００５】
巻き芯に消臭剤や芳香剤を含浸させた従来のトイレットロールは、消臭機能が長続きせず、トイレットロールの使用終了時においては、その機能が極端に低下してしまう欠点があり、さらなる改善が望まれる。
【０００６】
本発明の目的は、使用開始時のみならず、使用終了時であっても所望の機能を継続的に発揮させることができるトイレットロールおよびその製造方法を提供することにある。
【課題を解決するための手段】
【０００７】
本発明の第１の形態は、接着剤を介して複数枚のシートを相互に重ね合わせた衛生用紙であって、前記接着剤が消臭剤を含むことを特徴とするものである。
【０００８】
本発明による衛生用紙において、消臭剤はマスキング型消臭剤および吸着型消臭剤および化学反応型消臭剤の少なくとも１つを含むことが好ましいけれども、これらに限定されない。臭気と異なる香りによって臭気をごまかすマスキング型消臭剤としては、緑茶成分などを挙げることができる。臭気を物理的に吸着する吸着型消臭剤としては、シクロデキストリンなどを挙げることができる。臭気を化学反応によって臭気を発散しない化合物に変換する化学反応型消臭剤としては、ポリフェノールやタンニン酸あるいはフルボ酸などを挙げることができる。
【０００９】
本発明における接着剤としては、造膜性が良好なポリビニルアルコールおよびカルボキシメチルセルロースおよびメチルセルロースおよびアルギン酸ソーダーの少なくとも１つを含むことが好ましいが、これらに限定されない。しかしながら、造膜性の良好な上述の如き接着剤を採用することにより、消臭剤を衛生用紙の全域に亙って拡散させやすくなる。
【００１０】
複数枚のシートのうちの相互に隣接する２枚のシートの少なくとも一方にエンボス加工を施し、このエンボス加工により当該一方のシートに形成されて他方のシート側に突出する凸部の頂面に他方のシートを接合するための接着剤を塗布することも有効である。
【００１１】
衛生用紙の裏面側に露出するシートにエンボス加工を施し、このエンボス加工による凸部をシートの全域に所定間隔で形成するようにしてもよい。
【００１２】
シートが水解性を有するものであってよい。
【００１３】
本発明の第２の形態は、複数枚のシートのうちの相互に隣接する２枚のシートの少なくとも一方にエンボス加工を施し、このエンボス加工により当該一方のシートに形成されて他方のシート側に突出する凸部の頂面に他方のシートを接合するための接着剤を塗布した本発明の第１の形態による衛生用紙を製造するための方法であって、複数枚のシートを接合するための接着剤にあらかじめ消臭剤を含ませておくステップと、前記複数枚のシートのうちの相互に隣接する２枚のシートの少なくとも一方にエンボス加工を施すステップと、このエンボス加工を施すステップにより前記一方のシートに形成されて他方の前記シート側に突出する凸部の頂面に消臭剤を含ませた接着剤を塗布するステップと、接着剤が塗布された一方のシートに他方のシートを重ね合わせてこれらを接合するステップとを具えたことを特徴とするものである。
【発明の効果】
【００１４】
本発明によると、消臭剤を含む接着剤を介して複数枚のシートを相互に重ね合わせたので、衛生用紙の使用開始時から使用終了に至るまで所望の消臭機能を継続的に発揮させることができる。
【００１５】
特に、接着剤がポリビニルアルコールおよびカルボキシメチルセルロースおよびメチルセルロースおよびアルギン酸ソーダーの少なくとも１つを含む場合、接着剤の造膜性によって消臭剤を衛生用紙の全域に拡散させることができる。
【００１６】
複数枚のシートのうちの一方にエンボス加工を施し、このエンボス加工により形成される凸部の頂面に接着剤を塗布した場合、接着剤の使用に伴う衛生用紙の風合いの低下をエンボス加工によって抑制することができる。特に、衛生用紙の裏面側に露出するシートの全域に亙ってエンボス加工を施した場合には、衛生用紙の柔軟性を良好に維持することができる。
【図面の簡単な説明】
【００１７】
【図１】図１は、本発明による衛生用紙を２枚合わせのトイレットロールに応用した一実施形態の外観を表す立体投影図である。
【図２】図２は、図１に示したトイレットロールの構造を模式的に表す断面図である。
【図３】図３は、図１に示したトイレットロールの製造設備を模式的に表す概念図である。
【図４】図４は、図３に示した製造設備におけるエンボス加工部を抽出拡大した概念図である。
【図５】図５は、エンボス加工部における接着剤塗布部分をさらに抽出拡大した概念図である。
【発明を実施するための形態】
【００１８】
本発明による衛生用紙を２枚合わせ（ダブルタイプ）のトイレットロールに応用した実施形態について、図１〜図５を参照しながら詳細に説明する。しかしながら、本発明はこのような実施形態に限らず、例えば非水解性のキッチンロールなど、複数枚のシートを重ね合わせた他の衛生用紙に対しても適用可能である。
【００１９】
本発明の対象となるトイレットロールの実施形態の外観を図１に示す。本実施形態におけるトイレットロール１０は、表面ティシュ１１と裏面ティシュ１２とを重ね合わせた積層連続シート１３を円筒状の巻き芯１４に所定長巻回したものである。
【００２０】
表面ティシュ１１には、裏面ティシュ１２との重ね合わせ面側に突出する本発明における凸部としての多数の第１エンボス部１１ａが図１に示すような任意の所望の図柄を構成するように形成されている。同様に、裏面ティシュ１２には、表面ティシュ１１との重ね合わせ面側に突出するように多数の第２エンボス部１２ａが整列状態で所定間隔毎に形成されている。このように、第１エンボス部１１ａと第２エンボス部１２ａとを表面ティシュ１１と裏面ティシュ１２との重ね合わせ面側に突出させたことにより、表面ティシュ１１および裏面ティシュ１２の表面の手触りを良好に保つことができる。これら表面ティシュ１１および裏面ティシュ１２に形成される第１エンボス部１１ａおよび第２エンボス部１２ａのパターンは、必要に応じて図示以外の任意のパターンのものを採用することが可能である。
【００２１】
裏面ティシュ１２の第２エンボス部１２ａの頂面には、消臭剤をあらかじめ所定の割合で添加した接着剤１５が塗布され、これによって第２エンボス部１２ａの頂面に接する表面ティシュ１１の第１エンボス部１１ａの頂面が接合される。積層連続シート１３の断面構造を模式的に表す図２から明らかなように、第２エンボス部１２ａの頂面のすべてが表面ティシュ１１の第１エンボス部１１ａの頂面に接するわけではない。しかしながら、第２エンボス部１２ａの頂面と第１エンボス部１１ａの頂面との接する部分が接着剤１５を介して接合され、表面ティシュ１１と裏面ティシュ１２との剥離を阻止することが可能となる。この場合、積層連続シート１３の単位面積に対し、第２エンボス部１２ａの頂面と第１エンボス部１１ａの頂面とが実際に接する面積を２〜３％程度に設定することにより、表面ティシュ１１と裏面ティシュ１２との剥離を阻止することが可能である。従って、図柄を第１エンボス部１１ａによって形成する場合、その頂面と裏面ティシュ１２との接触面積が２〜３％程度となるように、第１エンボス部１１ａおよび第２エンボス部１２ａの大きさや間隔などを適切に設定しておくことが望ましい。
【００２２】
接着剤１５が裏面ティシュ１２の全面に塗布されていなくても、その造膜性によって接着剤１５に含まれる消臭剤が裏面ティシュ１２の第２エンボス部１２ａからその周囲の全域に拡散させることができる。しかも、裏面ティシュ１２の第２エンボス部１２ａに接合される表面ティシュ１１の第１エンボス部１１ａから表面ティシュ１１側にも消臭剤が浸透し、さらに広い範囲に亙って消臭剤を拡散させることが可能となる。
【００２３】
接着剤１５が裏面ティシュ１２の全面に塗布されていなくても、その造膜性によって接着剤１５に含まれる消臭剤が裏面ティシュ１２の第２エンボス部１２ａからその周囲のみならず、これが接する表面ティシュ１１の第１エンボス部１１ａから表面ティシュ１１側にも浸透し、広い範囲に亙って消臭剤を拡散させることができる。
【００２４】
このようなトイレットロール１０の製造設備を模式的に図３に示す。原反ティシュスタンド２０には、原反表面ティシュロール１１Ｒおよび原反裏面ティシュロール１２Ｒが配されており、これら原反ティシュロール１１Ｒ，１２Ｒは、製品となるトイレットロール１０の幅の数倍から二十数倍の幅を有する。原反表面ティシュロール１１Ｒおよび原反裏面ティシュロール１２Ｒから引き出された帯状をなす長尺ティシュ１１Ｌ，１２Ｌは、原反ティシュスタンド２０に隣接して配されたエンボス加工部２１に送出される。このエンボス加工部２１の下流側には、さらに巻取部２２および末端処理部２３が順に配されている。エンボス加工部２１は、原反ティシュロール１１Ｒ，１２Ｒにそれぞれエンボス加工を施す。同時に、原反ティシュロール１２Ｒの第２エンボス部１２ａの頂面に接着剤１５を塗布して第２原反ティシュロール１２Ｒを一体的に接合し、これによって長尺積層連続シート１３Ｌを得る。巻取部２２は、エンボス加工部２１から送り出される長尺積層連続シート１３Ｌを所定長さ毎に切断して長尺の巻き芯に巻き取り、長尺トイレットロール１０Ｌとする。本実施形態においては、この巻取部２２における長尺積層連続シート１３Ｌの切断に先立ち、その幅方向に横切る破断用ミシン目を長尺積層連続シート１３Ｌの長手方向に沿って一定間隔毎に形成するようにしている。末端処理部２３は、巻取部２２から排出される長尺トイレットロール１０Ｌの末端部をその表面に糊付けし、長尺トイレットロール１０Ｌが巻きほぐれないようにする。なお、長尺トイレットロール１０Ｌは、図示しない切断部に搬出され、所定幅に切断されて個々のトイレットロール１０となる。切断後に残った長尺積層連続シート１３Ｌの先端部は、巻取部２２に配される新たな長尺の巻き芯に巻き付けられ、再び所定長の積層連続シート１３Ｌがこの長尺の巻き芯に巻き取られるようになっている。
【００２５】
本実施形態におけるエンボス加工部２１を抽出拡大して図４に示し、その主要部をさらに抽出拡大して図５に示す。すなわち、エンボス加工部２１のフレーム３０には、表面ティシュ用のエンボスロール３１と、裏面ティシュ用のエンボスロール３２とが上下に相隔てて配されている。表面ティシュ用の第１のエンボスロール３１の外周面には、図１に示した第１エンボス部１１ａのエンボスパターン、すなわち図柄に対応した凹凸が形成されている。同様に、裏面ティシュ用エンボスロール３２の外周面には、図１および図２に示した第２エンボス部１２ａのエンボスパターンに対応した凹凸が形成されている。
【００２６】
裏面ティシュ用のエンボスロール３２の側方には、このエンボスロール３２によって長尺ティシュ１２Ｌに形成される第２エンボス部１２ａの頂面に接着剤１５を塗布するための周知の接着剤塗布装置３３が配されている。この接着剤塗布装置３３は、あらかじめ消臭剤が所定の割合で均一に混入された接着剤１５を貯溜するタンク３３ａと、このタンク３３ａに蓄えられた接着剤１５を塗布するための塗布ロール３３ｂとを有する。塗布ロール３３ｂはエンボスロール３２と同期回転し、所定膜厚の接着剤１５が第２エンボス部１２ａの頂面に塗布されるようになっている。
【００２７】
表面ティシュ用のエンボスロール３１の直上は、表面ティシュ用のバックアップロール３４が移動可能に配され、裏面ティシュ用のエンボスロール３２の直下には裏面ティシュ用のバックアップロール３５が配されている。これらバックアップロール３４，３５の表面部分は、弾性変形可能な硬質合成ゴムなどの硬質なゴム状弾性体にて形成されているが、エンボスロール３１，３２の少なくとも凹凸部分は金属にて形成されている。バックアップロール３４，３５は、基端部が枢軸３６，３７を中心としてフレーム３０に揺動可能に取り付けられたロールホルダー３８，３９に対してそれぞれ回転自在に取り付けられている。これらロールホルダー３８，３９の先端部は、一端がフレーム３０にピン止めされた流体圧シリンダー４０，４１の他端部にそれぞれピン止めされている。
【００２８】
表面ティシュ用のバックアップロール３４を支持するロールホルダー３８に連結された流体圧シリンダー４０は、表面ティシュ用のエンボスロール３１に対する表面ティシュ用のバックアップロール３４の押し付け圧を一定に保持するためのものである。同様に、裏面ティシュ用のバックアップロール３５を支持するロールホルダー３９に連結された流体圧シリンダー４１は、裏面ティシュ用のエンボスロール３２に対する裏面ティシュ用のバックアップロール３５の押し付け圧を一定に保持するためのものである。
【００２９】
接合ロール４２の上方には、エンボス加工部２１から巻取部２２に引き出される長尺積層連続シート１３Ｌの弛みを取るための張力調整ロール４３が配されている。この張力調整ロール４３を回転自在に支持する弛み取りアーム４４の基端部は、枢軸４５を介してフレーム３０に回転自在に取り付けられている。
【００３０】
上述したロール３１，３２，３３ｂ，３４，３５，４２，４３および枢軸３６，３７，４５の回転軸線は、相互に平行に設定されている。エンボスロール３１，３２および塗布ロール３３ｂ，接合ロール４２には、これらを同期駆動回転させるための図示しないロール駆動手段が連結されている。残りのバックアップロール３４，３５などは原反ティシュロール１１Ｒ，１２Ｒの搬送に伴う摩擦力によって従動回転するようになっている。
【００３１】
従って、原反表面ティシュロール１１Ｒおよび原反裏面ティシュロール１２Ｒから引き出された帯状をなす長尺ティシュ１１Ｌ，１２Ｌは、エンボス加工部２１にてエンボス加工が施され、それぞれ第１および第２エンボス部１１ａ，１２ａが形成される。これにより、長尺ティシュ１１Ｌ，１２Ｌに張りとしなやかさとが与えられる。これと同時に、第２エンボス部１２ａの頂面に接着剤１５が塗布され、接合ロール４２を通過する間に接着剤１５によって長尺ティシュ１１Ｌ，１２Ｌが積層状態となって一体的に接合される。
【００３２】
上述した実施形態では、裏面ティシュ１２の第２のエンボス部１２ａの頂面に消臭剤をあらかじめ所定の割合で添加した接着剤１５を塗布したが、代わりに表面ティシュ１１の第１エンボス部１１ａの頂面にのみ、この接着剤１５を塗布するようにしてもよい。あるいは、表面ティシュ１１および裏面ティシュ１２の両方に接着剤１５をそれぞれ塗布することも可能である。また、本実施形態では表面ティシュ１１および裏面ティシュ１２の両方共にエンボス加工を施しているが、このようなエンボス加工を施さないトイレットロール１０であっても本発明を適用させることができる。この場合、表面ティシュ１１および裏面ティシュ１２の少なくとも一方の重ね合わせ面の全面に接着剤１５を塗布する必要はなく、所定のパターンにて接着剤１５を塗布することも可能である。また、上述した実施形態では２枚合わせのトイレットロール１０について説明したが、シートを３枚以上重ね合わせた衛生用紙に本発明を適用させることも可能であることは言うまでもない。
【００３３】
なお、本発明はその請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００３４】
１０  トイレットロール
１１  表面ティシュ
１１ａ  第１エンボス部
１２  裏面ティシュ
１２ａ  第２エンボス部
１４  巻き芯
１５  接着剤
３１，３２  エンボスロール
３３  接着剤塗布装置
３４，３５  バックアップロール
４２  接合ロール
【図１】
2015186512.tif 000003
【図２】
2015186512.tif 000004
【図３】
2015186512.tif 000005
【図４】
2015186512.tif 000006
【図５】
2015186512.tif 000007